(57)【要約】【課題】視聴者へ広告主より依頼された広告情報を視聴させることができるようにする。【解決手段】放送局側の送信機１００は、事前に広告情報を受信機１５０へ送信する。受信機１５０はこの広告情報を記録再生部１５５内の記録媒体に記録する。受信機１５０は、チューナ１５２によって広告を表示すべき期間に検出された受信品質に応じて、受信品質が良いときにはこのとき受信された広告情報を、受信品質が悪いときには前記記録媒体から再生した広告情報をモニター１６０に表示する。【選択図】      図１
2004356884.tif 000002
【特許請求の範囲】
【請求項１】
テレビジョン放送を受信するチューナと、
このチューナによる前記テレビジョン放送の受信品質を検出する受信品質検出手段と、
広告情報を記録している記録媒体から前記広告情報を再生する広告情報再生手段と、
広告を視聴者へ視聴させる期間か否かを識別するための広告視聴指定時間情報が供給される入力端と、
この入力端から入力された前記広告視聴指定時間情報を用いて、視聴者へ広告を視聴させる期間であるか否かを判定する広告時間判定手段と、
この広告時間判定手段が視聴者へ広告を視聴させる広告期間と判定したとき、前記受信品質検出手段によって検出された受信品質が所定の品質より悪いか否かを判定する判定手段と、
この判定手段による判定結果が前記所定の品質より悪いと判定したとき、この広告期間では前記広告情報再生手段が前記記録媒体から再生した広告情報を、良いと判定したとき前記チューナにより受信した広告情報を出力する出力手段とを備えたことを特徴とするテレビジョン受信機。
【請求項２】
更に、前記記録媒体に記録されている広告情報は放送とは異なる通信網を介して送られており、この通信網により送られた広告情報を前記記録媒体に記録する広告情報記録手段とを備えたことを特徴とする請求項１に記載のテレビジョン受信機。
【請求項３】
更に、前記記録媒体に記録されている広告情報は前記テレビジョン放送のデータ放送帯域を用いて送られており、このデータ放送帯域により送られた広告情報を前記記録媒体に記録する広告情報記録手段とを備えたことを特徴とする請求項１に記載のテレビジョン受信機。
【請求項４】
前記広告視聴指定時間情報は前記テレビジョン放送のデータ放送帯域を用いて送られており、このデータ放送帯域により送られた前記広告視聴指定時間情報を前記記録媒体に記録する広告視聴指定時間情報記録手段と、
前記記録媒体から再生した前記広告視聴指定時間情報を、前記広告視聴指定時間情報として前記入力端へ供給する手段とを備えたことを特徴とする請求項３に記載のテレビジョン受信機。
【請求項５】
前記記録媒体に記録される広告情報は、前記判定手段による判定結果が前記所定の品質より良いと判定したとき前記チューナにより受信した広告情報よりも情報量が少ない、フレームレートの低い動画，テキストデータ，画像データ，画像サイズの小さい動画のいずれかから構成されることを特徴とする請求項３に記載のテレビジョン受信機。
【請求項６】
前記視聴指定時間情報として前記放送による音声の放送方式を検出するための音声識別信号を用いており、
前記放送により送られた当該音声識別信号を視聴指定時間情報として前記入力端へ供給する手段を備えることを特徴とする請求項１に記載のテレビジョン受信機。
【請求項７】
前記受信品質検出手段により検出された受信品質が所定の品質よりも悪くなったとき、前記広告期間以外であっても前記広告情報再生手段に前記記録媒体から広告情報を再生させると共に、この再生された広告情報を前記出力手段から出力させるよう制御する制御手段を備えたことを特徴とする請求項１乃至６のいずれか１項に記載のテレビジョン受信機。
【請求項８】
更に、前記広告情報再生手段が所定回数再生した広告情報を削除する広告情報削除手段を備えたことを特徴とする請求項１乃至７のいずれか１項に記載のテレビジョン受信機。
【請求項９】
更に、前記出力手段からの映像信号を再生する表示手段を備えたことを特徴とする請求項１乃至８のいずれか１項に記載のテレビジョン受信機。
【発明の詳細な説明】
【０００１】
【発明の属する技術分野】
この発明は、テレビジョン受信機に関し、特に広告主の支払う広告料金を主要な財源としている民間放送事業者の放送システムに用いられるテレビジョン受信機に関する。
【０００２】
【従来の技術】
図１３は、従来の放送システムの番組コンテンツと広告情報の配信形態を示す図である。図１３において、番組コンテンツＡと番組コンテンツＢとの間の時間に広告情報Ａ１〜Ａｎが放送される。なお、図１３には示していないが、広告情報は番組コンテンツＡやＢの番組コンテンツ中に文字や音声で提示される場合もある。
【０００３】
一般に民間放送事業者は、番組コンテンツ中や番組コンテンツ間に広告主の広告情報を挿入し、これにより得られる広告料収入を主要な財源としている。
これ故、民間放送事業者は広告主より依頼された広告情報を視聴者に対して正確に視聴させる責務がある。
民間放送事業者は、番組コンテンツＡ（例えばドラマの前編）と番組コンテンツＢ（例えばドラマの後編）との間の広告情報を視聴者に視聴させるために、番組コンテンツＡの最後のシーンを番組が適度に盛り上がったところ或いは核心に迫る手前等とし、なるべく視聴者に続きが見たいという欲求を持たせる。このように広告挿入時刻を意識した番組コンテンツの制作をする。更には番組コンテンツに対する視聴者の興味を引きつけるために、効果的に広告情報を利用している場合もある。
【０００４】
これらの手法を取ることにより、番組コンテンツと広告情報の一体化を図り、視聴者に広告情報の視聴も促すことができる。
結果、広告情報中に他の放送事業者の放送に視聴者を奪われるのを防ぎ、広告主に対しての責務を果たすことができる。このことは広告主からの信頼を獲得でき、広告収入の増加にもつながる。
【０００５】
近年、放送システムのデジタル化に伴い、高品質化、周波数の有効利用等が可能となっている。放送システムのデジタル化のその他のメリットは、例えば総務省情報通信政策地上放送課サイト（非特許文献１参照）等に記載されている。
【０００６】
地上波デジタル放送では、移動体での受信を考慮した放送が行われる。しかしながら移動体受信環境下では、移動による電波不感地帯への進入や、電波伝播環境の急激な劣化により必ずしも常時確実に受信できるとは限らない。
【０００７】
それ故、移動による電波不感地帯への進入や、電波伝播環境の急激な劣化により、広告情報が受信できず視聴者に視聴してもらえなくなることは、広告情報を視聴者に視聴してもらいたい民間放送事業者（広告主）および広告情報を視聴したいという欲求のある視聴者にとって重要な問題となる。
【０００８】
また、従来、広告情報のみを放送受信機に予め蓄積しておき、この蓄積しておいた広告情報の中から視聴者の嗜好にあった広告情報を再生する放送受信機が考えられている（例えば特許文献１参照）。
【０００９】
しかしながら、特許文献１は、番組コンテンツを放送している民間放送事業者の意図しない時刻に挿入される可能性があり、広告主より依頼された広告情報を、視聴者に対して正確に視聴させることが困難となる。一般的に民間放送事業者は、番組コンテンツ自体、または番組コンテンツ間の広告表示時間帯に応じた広告料金を広告主から徴収している。
【００１０】
よって、意図しない時刻で広告情報が挿入されてしまうと、広告主に対しての料金徴収が不明瞭になってしまう。また、上述したような、広告挿入時刻を意識した番組コンテンツの制作や、番組コンテンツに対する視聴者の興味を引きつけるための効果的な広告情報の利用も不可能となってしまう。
【００１１】
さらに、特許文献１は、固定受信の安定した電波伝播環境下が前提であり、移動体受信時において、移動による電波不感地帯への進入や、電波伝播環境の急激な劣化等により、番組コンテンツに対応する広告情報が受信できなくなる場合には有効ではない。
【００１２】
【特許文献１】
特開平１１−１３５６３６号公報
【非特許文献１】
「地上デジタル放送のご案内  −もうすぐ全ての放送がデジタル化されます。−  （情報通信政策局地上放送課）」
総務省、［平成１５年５月７日検索］、インターネット
＜ＵＲＬ：ｈｔｔｐ：／／ｗｗｗ．ｓｏｕｍｕ．ｇｏ．ｊｐ／ｊｏｈｏ＿ｔｓｕｓｉｎ／ｗｈａｔｓｎｅｗ／ｄｉｇｉｔａｌ−ｂｒｏａｄ／ｉｎｄｅｘ．ｈｔｍｌ＞
【００１３】
【発明が解決しようとする課題】
このように従来のテレビジョン受信機においては、移動による電波不感地帯への進入や、電波伝播環境の急激な劣化等により、番組コンテンツに対応する広告情報が受信できなくなる場合には、視聴者へ広告主より依頼された広告情報を視聴させることができなかった。
【００１４】
この発明は、広告情報表示日時に予め蓄えられた番組コンテンツに対応する広告情報を表示することで、視聴者へ広告主より依頼された広告情報を視聴させることができる受信機を提供することを目的とする。
【００１５】
また、放送受信機内に予め蓄えた広告情報から、民間放送事業者の放送と同一時刻に同一内容の広告情報を再生可能とし、広告主から番組コンテンツ放送時間帯に応じた明確な広告料金の徴収を可能とすることを目的とする。
【００１６】
【課題を解決するための手段】
上記の目的を達成するために、この発明においては、テレビジョン放送を受信するチューナと、このチューナによる前記テレビジョン放送の受信品質を検出する受信品質検出手段と、広告情報を記録している記録媒体から前記広告情報を再生する広告情報再生手段と、広告を視聴者へ視聴させる期間か否かを識別するための広告視聴指定時間情報が供給される入力端と、この入力端から入力された前記広告視聴指定時間情報を用いて、視聴者へ広告を視聴させる期間であるか否かを判定する広告時間判定手段と、この広告時間判定手段が視聴者へ広告を視聴させる広告期間と判定したとき、前記受信品質検出手段によって検出された受信品質が所定の品質より悪いか否かを判定する判定手段と、この判定手段による判定結果が前記所定の品質より悪いと判定したとき、この広告期間では前記広告情報再生手段が前記記録媒体から再生した広告情報を、良いと判定したとき前記チューナにより受信した広告情報を出力する出力手段とを備えたことを特徴とするテレビジョン受信機を提供する。
【００１７】
【発明の実施の形態】
（第１の実施の形態）
以下、本発明のテレビジョン受信機の第１の実施の形態の構成について図１および図２を用いて詳細に説明する。
図１は、本発明のテレビジョン受信機に係る第１の実施の形態の構成を説明するためのブロック図である。
図１において、放送システム１は、放送局側の送信機１００および自動車，携帯端末，一般家庭等に設置される受信機１１０から構成されている。
送信機１００は、番組コンテンツ及び第１の広告供給手段１０１，第２の広告供給手段１０２，時計１０３，多重回路１０４，アンテナ１０５から構成されている。
受信機１５０は、アンテナ１５１，チューナ１５２，ＴＳ処理部１５３，セレクタ１５４，記録再生部１５５，制御部１５６，入力処理部１５７，ＭＰＥＧデコーダ１５８，ＯＳＤ処理部１５９，モニター１６０から構成されている。
【００１８】
まず送信機１００側の構成について説明する。
番組コンテンツ及び第１の広告供給手段１０１は、映像および音声から構成される番組コンテンツと、広告主から依頼された第１の広告情報とを多重回路１０４へ供給する。この番組コンテンツ及び第１の広告供給手段１０１が供給する番組コンテンツおよび第１の広告情報は、視聴者にリアルタイムに視聴されるものとして作成されている。
【００１９】
第２の広告供給手段１０２は、広告主から依頼された少なくとも１種類の第２の広告情報を多重回路１０４へ供給する。この第２の広告情報は、予め受信機１５０側で第２の広告情報の表示すべき時刻前に蓄積した後で視聴されるものとして作成されており、リアルタイムに視聴者へ提示されることはない。この第２の広告情報により再生されるコンテンツは、第１の広告情報と同じであっても良く、異なっていても良い。
【００２０】
図２は、第２の広告供給手段１０２から供給される第２の広告情報の構造を説明するための図である。
図２に示す通り、第２の広告供給手段１０２から供給される第２の広告情報は、広告映像音声信号２０１，この広告映像音声信号２０１による広告を視聴者にいつ（日付・時刻）提示すべきかを示す表示日時情報２０２，どこの放送チャンネルを視聴しているときに視聴者に提示すべきかを示す放送チャンネル情報２０３の３つの情報から構成されている。
【００２１】
時計１０３は、時刻情報を多重回路１０４へ供給する。
多重回路１０４は、入力された番組コンテンツ，第１の広告情報，時刻情報の３つを多重したストリームを作成しアンテナ１０５を用いた放送にて視聴者側へ配信する。このストリーム作成時、多重回路１０４は第２の広告情報を、この第２の広告情報を表示すべき時刻前に予めデータ放送の形態にて多重される。第２の広告情報がデータ放送の形で配信される理由は、生で視聴者に見せるのではなく、一旦受信機１５０で蓄えた後で視聴者に視聴させるからである。民間放送事業者は、予め広告主より各番組コンテンツ放送時間帯に放送する広告情報を入手しているから広告表示日時前に送出することが可能である。
【００２２】
次に受信機１５０側の構成について説明する。
図１において、アンテナ１５１により受信されたデジタル放送信号はチューナ１５２へ供給される。チューナ１５２は、視聴者による入力処理部１５７の操作に応じて、制御部１５６から入力された選局信号により所定の周波数帯の信号を選局し、得られたＭＰＥＧ２トランスポートストリームをＴＳ処理部１５３へ出力する。また、チューナは、受信電界強度や、受信信号の誤り率をもとに受信品質を検出し、この検出した受信品質情報を制御部１５６へ出力する。
【００２３】
制御部１５６は、時計を有しており受信機１５０全体の動作をコントロールする。この制御部１５６内の時計は、放送により送られＴＳ処理部１５３により分離された時刻情報により時刻が調整される。これにより内部時計は放送局側と同じ正しい時刻を維持することができる。
【００２４】
このように番組コンテンツと同じ放送により送られてきた時刻情報により内部時計を調整ので、例えば、内部時計がＧＰＳ衛星電波を応用した電波時計や、福島県にある“おおたかどや山標準電波送信所”からの標準電波に時刻を合わせていた場合と比較して、広告情報を表示するタイミングの誤差をより小さくすることができる。
【００２５】
ＴＳ処理部１５３は、チューナ１５２から入力されたＭＰＥＧ２トランスポートストリームをデパケットすると共に番組配列情報（Ｓｅｒｖｉｃｅ  Ｉｎｆｏｒｍａｔｉｏｎ：以下、ＳＩと記す）を抜き出し、この抜き出したＳＩを用いて視聴者に指示されたチャンネルを視聴するための番組コンテンツ，第１の広告情報，第２の広告情報，時刻情報を分離する。
【００２６】
このＳＩにはプログラム・スペシフィック・インフォメーション（以下、ＰＳＩと記す）が含まれている。ＳＩの詳細説明は省略するが、チャンネルの周波数、変調方式など選局に必要な情報、チャンネル名、番組名等の情報、番組が有料放送（スクランブル放送）か、ノンスクランブル放送か等を示す情報など、視聴者が番組を選択し視聴する際に必要な情報が含まれている。
【００２７】
ＴＳ処理部１５３は、この分離した番組コンテンツ，第１の広告情報を抜き出してセレクタ１５４を介してＭＰＥＧデコーダ１５８へ供給する。
ＭＰＥＧデコーダ１５８は、セレクタ１５４を介して入力された番組コンテンツ，第１の広告情報の映像・音声信号を、ＭＰＥＧ２デコードし、このＭＰＥＧ２デコードした映像・音声信号をモニター１６０へ出力する。これにより視聴者はリアルタイムに放送されている番組・広告を視聴することができる。
【００２８】
記録再生部１５５は、少なくとも前記データ放送により送られＴＳ処理部１５３により分離された図２に示した第２の広告情報を、第２の広告情報の表示日時前に内部の記録媒体に記録する。この記録再生部１５５内部の記録媒体は、磁気ディスク，磁気テープ，半導体メモリ等、情報を記録再生可能な手段であれば何を用いても良い。
【００２９】
セレクタ１５４は、制御部１５６からの制御信号に応じてＴＳ処理部１５３および記録再生部１５５のいずれか一方からの信号を選択してＭＰＥＧデコーダ１５８へ出力する。
【００３０】
制御部１５６は、記録再生部１５５に記録された第２の広告情報に含まれる表示日時情報２０２を検出する。
制御部１５６は、この表示日時情報２０２に示す表示日時になると、チューナ１５２から入力された受信品質情報に応じて、セレクタ１５４を切替える。
この切替え動作について説明する。
制御部１５６は、番組コンテンツ期間（図１３に示した番組コンテンツを表示すべき期間）については、常にＴＳ処理部１５３から供給されている番組コンテンツを選択するための制御信号をセレクタ１５４へ供給する。
【００３１】
制御部１５６は、広告期間（図１３に示した広告を表示すべき期間）については、受信品質情報が所定の品質よりも良いことを示すとき、ＴＳ処理部１５３から直接接続されて供給されている第１の広告情報を選択するための制御信号をセレクタ１５４へ供給する。反対に、制御部１５６は、受信品質情報が所定の品質よりも悪いことを示すとき、当該時刻に表示すべき第２の広告情報を再生するための制御信号を記録再生部１５５へ出力すると共に、記録再生部１５５から再生された第２の広告情報を選択するための制御信号をセレクタ１５４へ出力する。
【００３２】
この結果、ＭＰＥＧデコーダ１５８は番組コンテンツ期間にはリアルタイムに送られている番組コンテンツをデコードする。また、ＭＰＥＧデコーダ１５８は広告期間には受信品質が良いときには番組コンテンツ同様にリアルタイムに送られている第１の広告情報をデコードし、受信品質が悪いときには記録再生部１５５から再生された第２の広告情報をデコードする。
【００３３】
ＯＳＤ処理部１５９は、ＭＰＥＧデコーダ１５８がデコードした映像にＯＳＤ（Ｏｎ  Ｓｃｒｅｅｎ  Ｄｉｓｐｌａｙ）機能によりエラーメッセージ等を多重し、外部のモニター１６０へ出力する。ＯＳＤ処理部１５９は、ＭＰＥＧデコーダ１５８がデコードした音声信号はスルーするが、視聴者に警告等をするときには制御部１５６から入力された警告音を多重した後にモニター１６０へ出力する。
【００３４】
モニター１６０は、ＯＳＤ処理部１５９から入力された映像・音声信号を再生する。
一般的に民間放送事業者は、番組コンテンツ自体または番組コンテンツ放送時間帯に対して広告主から広告料を徴収しているので、広告情報は放送している番組コンテンツに対応したものである。
【００３５】
次に、本発明のテレビジョン受信機の第１の実施形態の動作について、更に図３のフローチャートを用いて詳細に説明する。
なお、送信機１００の動作は上記した通り、送信機１００内部の多重回路１０４が、番組コンテンツ，第１の広告情報，時刻情報の３つを
多重したストリームを作成しアンテナ１０５を用いた放送にて視聴者側へ配信するのみであるため、ここでは特にフローチャートを用いた説明は省略し、受信機１５０の動作についてのみ説明する。
【００３６】
図３は、図１に示す放送システム１に用いられる受信機１５０の広告表示を行うときの動作を説明するためのフローチャートである。
なお、特に断らない限りこれら全ての制御は制御部１５６からの制御により行われるものである。
図３において、受信機１５０は電源が投入され、あるチャンネルの番組コンテンツを受信し、通常この番組をリアルタイムでモニター１６０に再生する（ステップ３０１）。番組コンテンツを視聴中は、データ放送の形態にて送信され未だ記録していない第２の広告情報があれば記録再生部１５５に記録する（ステップ３０２）。また、記録再生部１５５に記録されている第２の広告情報の表示日時情報は制御部１５６内の時計と比較され、既に表示日時が過ぎており今後は再生しない第２の広告情報については逐次削除されて記録媒体の空きスペースが作成される。よって受信装置の記録装置を小容量なものを使用できるので、受信装置のコストを削減することが可能となる。
【００３７】
視聴者は番組コンテンツ視聴中に、他の放送事業者の放送するチャンネルに変更した場合（ステップ３０３）、チャンネルが切替えられ切替えた先のチャンネルと共に送られている第２の広告情報が記録再生部１５５に記録される。
【００３８】
以上により、今後再生する可能性のある第２の広告情報のみが記録再生部１５５に記録される状態となる。なお、予め記録する必要がある全ての第２の広告情報について記録が完了した場合は、記録再生部１５５を動作させない制御をしても良い。このように制御することにより、消費電力を削減することができる。
【００３９】
次に、視聴者が番組コンテンツの視聴を終了する場合には、処理を終了し電源が断たれ、視聴者が番組コンテンツの視聴し続ける場合には次のステップ３０５の処理へ移る（ステップ３０４）。
【００４０】
次のステップ３０５では、放送チャンネル情報２０３が用いられて記録再生部１５５に記録されている現在視聴中のチャンネルに対する第２の広告表示情報が抽出され、この抽出された第２の広告表示情報に含まれる表示日時情報２０２と、制御部１５６内の時計とが比較される。
【００４１】
まだ表示日時情報２０２が示す日時になっていなければステップ３０１へ戻り、表示日時情報２０２が示す日時になっていれば受信品質が確認される（ステップ３０６）。
【００４２】
ステップ３０６で受信品質が所定のレベルよりも良いときには第１の広告情報をモニター１６０に表示する（ステップ３０７）。
ステップ３０６で受信品質が所定のレベルよりも悪いときには記録再生部１５５から再生した第２の広告情報をモニター１６０に表示する（ステップ３０８）。
広告期間が終了すると、ステップ３０１へ戻る（ステップ３０９）。
図４は、送信機１００から送信される信号を説明するための図である。
図４において、４０１は所定の放送チャンネルを用いて、所定の時間帯に放送する番組コンテンツであり、番組コンテンツＡとする。
４０３は、この番組コンテンツＡに対応する広告情報群、すなわち、番組コンテンツＡ自体もしくは番組コンテンツＡの放送時間帯に対応した広告料を支払って視聴者に提示する広告情報群であり、広告情報群Ａ４０３とする。
【００４３】
広告情報群Ａ４０３は少なくとも１種類以上の広告からなっており、ｎ個の広告情報を広告表示日時となったら広告情報４０２が、広告情報Ａ１，Ａ２，…，Ａｎと順次表示される。
【００４４】
送信機１００は、データ放送帯域を用いて広告情報群Ａを、広告情報群Ａを表示すべき時間の前迄に、予め受信機１５０側へ配信しておく。これにより受信機１５０では、広告表示日時の前迄に、番組コンテンツに対応する広告情報を予め記録再生部１５５に記録させることが可能となる。
【００４５】
なお、図４では、ｔ１〜ｔ２間が広告期間であるが、このｔ１〜ｔ２間に番組コンテンツＢに対応する広告情報Ｂを表示するように編成される場合もある。この場合についても放送局１００側で、広告情報Ｂを表示すべき時間の前迄に、番組コンテンツＢに対応する広告情報群Ｂをデータ放送帯域で配信することで、予め受信機１５０側の記録再生部１５５内の記録媒体に広告情報群Ｂを記録することが可能である。
【００４６】
次に、広告情報群の構成を図５（ａ）に示す。
図５（ａ）は広告情報をそれぞれ、時分割で送出する場合の構成である。
図５（ａ）において、５０１はデータ放送帯域で送出される広告情報Ａ１’であり、図４の広告情報Ａ１に対応する。
放送局側の送信機１００は、少なくとも１種類以上（図５中ではｎ個とした）の広告情報を番組コンテンツＡ視聴中に時分割で送出する。
このように番組コンテンツ放送信号に多重されるデータ放送帯域を用いて、番組情報に対応する広告情報を予め配信しておくことで、広告主より依頼された広告情報を、視聴者に対して正確に視聴させることを可能とする。
【００４７】
また、送信機１００から広告情報Ａ１’から広告情報Ａｎ’までを一纏まりとして、数回にわたり繰り返し送信するいわゆるカルーセル伝送としても良い。これにより視聴者が番組コンテンツＡの途中から番組コンテンツＡを視聴したとしても、全ての広告情報群（広告情報Ａ１’から広告情報Ａｎ’）を広告情報を予め記録再生部１５５内の記録媒体に記録することが可能である。
【００４８】
また、広告情報群の他の構成例を図５（ｂ）に示す。
図５（ｂ）は広告情報を多重して同時に送出する場合の構成である。
図５（ｂ）において、５５１はデータ放送帯域で送出される広告情報Ａ１’’であり、図４の広告情報Ａ１に対応する。
放送局側の送信機１００は、少なくとも１種類以上（図５（ｂ）中ではｎ個とした）の広告情報を番組コンテンツＡ視聴中に多重して同時に送出する。多重方法は、異なる送信コードを用いたコード多重や、異なる送信周波数を用いる周波数多重がある。
【００４９】
このように番組コンテンツ放送信号に多重されるデータ放送帯域を用いて、番組情報に対応する広告情報を予め配信しておくことで、広告主より依頼された広告情報を、視聴者に対して正確に視聴させることを可能とする。
【００５０】
また、送信機１００から広告情報Ａ１’’を数回にわたり繰り返し送信するようにしても良い。これにより視聴者が番組コンテンツＡの途中から番組コンテンツＡを視聴したとしても、全ての広告情報群（広告情報Ａ１’から広告情報Ａｎ’）を広告情報を予め記録再生部１５５内の記録媒体に記録することが可能である。
【００５１】
上記した通り、予め記録再生部１５５に記録されている第２の広告情報に含まれる表示日時情報２０２を用いることにより、広告表示日時前に、放送手段１５０が受信不可能な状態となった場合においても、広告を表示すべき日時を判断することが可能である。
【００５２】
また、受信品質が悪いか良いかを判断するための所定の閾値は、必ずしも固定である必要はなく、可変であっても良い。例えばチャンネル毎に可変しても良いし、受信品質の値を平均した値からどれ位悪い値としても良いし、またテレビジョン放送を視聴する時間帯によって可変しても本発明の効果を得ることができる。
【００５３】
以上説明した通り、広告情報表示日時に予め蓄えられた番組コンテンツに対応する広告情報を表示することで、視聴者へ広告主より依頼された広告情報を視聴させることが可能となる。
【００５４】
例えば、受信機１５０の移動による電波不感地帯への進入や、電波伝播環境の急激な劣化等により、広告情報表示日時に番組コンテンツに対応する広告情報が受信できなくなっても、広告主より依頼された広告情報を、視聴者に対して正確に視聴させることが可能となる。
【００５５】
（第１の実施の形態の変形例）
上記実施の形態では第２の広告情報に含まれる表示日時情報２０２を用いて、この表示日時情報が示す日時に広告情報を表示するようにしたが、次のようにしても良い。
【００５６】
第２の広告情報には特に表示日時情報２０２として、どこの時間帯で放送すべきである広告の情報なのかを示す時間帯に関する情報が記載されている。一般的に、番組コンテンツ中と広告情報中とでは、広告表示期間中はステレオ等のように音声信号等形態が異なる。よって、この変化から広告表示日時を検出する。そして音声信号等形態が広告表示期間中を示す間、受信状態が悪いとき該当するチャンネルと時間帯に属する第２の広告情報をモニター１６０から再生する。
【００５７】
この方法によれば、広告を表示している途中に放送手段１５０が受信不可能となった場合においても途切れることなく広告情報を表示することが可能となる。
この変形例では、必ずしも記録再生部に第２の広告情報が記録されているとは限らないため、第２の広告情報が記録媒体に記録されているか否かを判断する必要がある。
【００５８】
このときの制御部１５５による制御動作を図６に示す。図６は図３と比較してステップ６０１とステップ６０２が加わった点が異なっており、この異なっている動作についてのみ説明をする。
【００５９】
制御部１５６は、ステップ３０６で受信品質が所定のレベルよりも良いときには第１の広告情報をモニター１６０に表示する（ステップ３０７）。
制御部１５６は、ステップ３０６で受信品質が所定のレベルよりも悪いときには記録再生部１５５に第２の広告情報が記録されているか否かを検出する（ステップ６０１）。ステップ６０１で記録されていた場合には、ステップ３０９により記録再生部１５５から再生した第２の広告情報をモニター１６０に表示させる。
【００６０】
ステップ６０１で記録されていなかった場合には、いずれの広告情報も表示することができない。この場合、ＯＳＤ処理部１５９のＯＳＤ機能によりエラーメッセージを映像／音声で多重することにより、視聴者に通知する（ステップ６０２）。
【００６１】
なお、このエラーメッセージは通知文の他、受信不可能なことを伝える音声や、画像や、動画としても本発明に係わる効果は何ら変わることはない。
以上説明した通り、広告情報表示日時に予め蓄えられた番組コンテンツに対応する広告情報を表示することで、視聴者へ広告主より依頼された広告情報を視聴させることが可能となる。
【００６２】
例えば、受信機１５０の移動による電波不感地帯への進入や、電波伝播環境の急激な劣化等により、広告情報表示日時に番組コンテンツに対応する広告情報が受信できなくなっても、広告主より依頼された広告情報を、視聴者に対して正確に視聴させることが可能となる。
【００６３】
さらに、視聴者が表示手段に何も表示されずに、不快な思いをすることを回避することが可能となる。
（第２の実施の形態）
図７は、本発明のテレビジョン受信機に係る第２の実施の形態の構成を説明するためのブロック図である。
第１の実施の形態では、第２の広告情報はデータ放送帯域を用いて受信機１５０へ配信された。しかし、第２の実施の形態では第２の広告情報は、データ放送以外の方式、例えばセルラー，無線ＬＡＮ等の無線通信か、電話回線，ＩＳＤＮ回線，ＬＡＮ等からなる有線通信か、半導体メモリ（ＳＤやフラッシュ），磁気ディスク（ＨＤＤ），光ディスク（ＣＤ−ＲＯＭ，ＤＶＤ）等の記録媒体のいずれかで予め提供するようにしても良い。即ち、予め受信機１５０へ提供できる形態であればこれに限らず何であってもかまわない。
【００６４】
なお、図１と同一の構成要素には同一符号を付し説明を省略する。ここでは、第２の広告送出手段７０１および第２の広告情報記録制御手段７０２についてのみ説明する。
【００６５】
図７において、第２の広告送出手段７０１はインターネットへ送出するための伝送フォーマットに変換しインターネットを介して受信機１５０側へ配信する。第２の広告情報記録制御手段７０２は、インターネットを介して配信された第２の広告情報を受信して伝送フォーマットをから記録再生部１５５内の記録媒体に記録するためのフォーマットに変換した後、記録再生部１５５内の記録媒体に記録する。
【００６６】
なお、ＤＶＤ等の記録媒体を用いて予め第２の広告情報を配信しておく場合には、送信機１００側では第２の広告送出手段７０１の代わりに記録媒体を配布することが必要となり、受信機１５０側では第２の広告情報記録制御手段７０２および記録再生部１５５がＤＶＤ等記録媒体の再生装置に置き換えれば良い。
【００６７】
なお、記録媒体には配信する場合は、配布された記録媒体に記録されている全ての情報を記録再生部１５５内の記録媒体に記録しても、必要な広告情報のみ記録再生部１５５内の記録媒体に保持しても、どちらでも良い。
【００６８】
以上説明した通り、広告情報表示日時に予め蓄えられた番組コンテンツに対応する広告情報を表示することで、視聴者へ広告主より依頼された広告情報を視聴させることが可能となる。
【００６９】
例えば、受信機１５０の移動による電波不感地帯への進入や、電波伝播環境の急激な劣化等により、広告情報表示日時に番組コンテンツに対応する広告情報が受信できなくなっても、広告主より依頼された広告情報を、視聴者に対して正確に視聴させることが可能となる。
【００７０】
更に、第２の広告情報を放送とは関係のない媒体を用いて配信するので、放送受信信号の品質に依存せずに予め第２の広告情報を記録手段に蓄えることができ可能となる。
【００７１】
（第３の実施の形態）
これまで説明してきた実施の形態では、受信機１５０は、受信状態の良し悪しにより記録再生部１５５内の記録媒体から再生された第２の広告情報を表示するか否かを制御していた。しかし、この第３の実施の形態では受信状態の良し悪しにかかわらず常に記録再生部１５５内の記録媒体から再生された第２の広告情報を表示する。
【００７２】
図８は、本発明のテレビジョン受信機に係る第３の実施の形態の構成を説明するためのブロック図である。図８は図１と比較してチューナが、受信電界強度や、受信信号の誤り率をもとに受信品質を検出した受信品質情報を制御部１５６へ出力しない点で異なる。
【００７３】
このように構成された受信機１５０の動作を図９を用いて詳細に説明する。
図９は、図８に示す放送システム１に用いられる受信機１５０の広告表示を行うときの動作を説明するためのフローチャートである。
なお、図９において、図３と同じものについては同一符号を付し説明を省略する。
ステップ３０５にて広告表示日時になると、制御部１５６は記録再生部１５５内の記録媒体に第２の広告情報が保持されているか否かを判断する（ステップ９０１）。このステップ９０１で保持されていれば記録再生部１５５内の記録媒体から再生された第２の広告情報を表示し（ステップ９０２）、反対に保持されていなければリアルタイムに送られている第１の広告情報を再生する（ステップ９０３）。これを広告表示日時が終わるまで繰り返す（ステップ３０１）。
【００７４】
この実施の形態において、第２の広告情報をリアルタイムに送信不可能な量のデータ量を用いて、例えば視聴者の好みに応じて複数種の広告の中から好みの広告を選択可能とする、通常よりもより高度な広告情報としておく。
【００７５】
これにより、受信品質の良し悪しによらず記録媒体に記録された第２の広告情報を表示する。よって視聴者は、図４に示す広告期間に受信品質が悪くなったときでも記録媒体に記録された第２の広告情報を視聴することができる。更にこの第２の広告情報はより高度な広告情報であるため、視聴者にとって都合が良い。
【００７６】
他、更に次のようにしても良い。
・第２の広告情報が第１の広告情報とは異なる（例えばより高度）場合には、視聴者にこの第の広告情報が記録再生部１５５内の記録媒体に蓄積されたことを示す映像、音声等によるメッセージをＯＳＤ処理部１５９による多重させ、視聴者に通知するようにしても良い。これにより視聴者は予め第２の広告情報が第１の広告情報と異なることを知ることができる。
【００７７】
・第３の実施の形態と第１の実施の形態のいずれの動作をするかを視聴者が予め設定しておけるようにしても良い。これにより視聴者は予めいずれの動作をさせるか設定することができる。
【００７８】
以上説明した通り、広告情報表示日時に予め蓄えられた番組コンテンツに対応する広告情報を表示することで、視聴者へ広告主より依頼された広告情報を視聴させることが可能となる。
【００７９】
（第４の実施の形態）
この第４の実施の形態は、実際に表示された回数に応じて削除するようにしても良い。
本発明のテレビジョン受信機に係る第３の実施の形態の構成を説明するためのブロック図は、図１，７，８等と同じであるためここでは省略し、制御部１５６の動作が異なるのでこの点について詳細に説明する。
【００８０】
図１０（ａ）は、放送局側で送信機１００から配信される第２の広告情報を示す図である。
送信機１００は、広告映像音声信号２０１に、広告主コード１００１，有効期限情報１００２，再生回数制限情報１００３を付して受信機１５０へ配信する。また、広告期間に入る前に、予め番組コンテンツの広告主コードをデータ放送等で送り、受信機１５０はこれを受けて当該広告主の第２の広告情報の有無を検出して在れば再生する。
【００８１】
制御部１５６は、各広告の第２の広告情報毎に、図１０（ｂ）に示す通り実際に再生した回数をカウントした値である再生回数１０１０を付加して記録再生部１５５内の記録媒体へ記録する。
【００８２】
図１１は、放送システム１に用いられる受信機１５０の広告表示を行うときの動作を説明するためのフローチャートである。
制御部１５６は、図４に示す広告期間になったときに第２の広告情報が記録再生部１５５内の記録媒体に蓄積されていたら再生してモニター１６０に表示し、第２の広告情報を再生する度に再生回数１０１０をカウントアップしていく。
【００８３】
また、制御部１５６は、図１１に示す通り現在日時が有効期限を過ぎた場合には記録再生部１５５内の記録媒体から当該第２の広告情報を削除する（ステップ１１０１）。また、制御部１５６は、再生時に再生回数制限情報１００３に示す再生回数に達したら、記録再生部１５５内の記録媒体から当該第２の広告情報を削除する（ステップ１１０２）。
【００８４】
これら制御部１５６のステップ１１０１〜１１０２による削除処理はこれに限らず、例えば受信装置１５０の電源オン時，電源オフ時，定期的等に行うようにしても良い。また、広告期間終了後にまとめて削除を行う他、広告情報Ａｎが１つづつ表示完了する毎に削除を行っても良い。
【００８５】
これにより、所定回数表示したり、有効期限を過ぎた第２の広告情報は記録再生部１５５内の記録媒体から削除される。
また、放送局側と受信機１５０で仕様が決められている場合には、第２の広告情報を簡素化することができる。例えば再生する回数は全て１回とし、有効期限情報１００２は次の広告期間の終了点とする。すると広告主は自ずと決まるため放送局側から配信する必要はない。また、再生回数もカウントする必要が無いので同じく配信する必要はない。
【００８６】
更に有効期限情報１００２も広告期間の終了点とすれば音声形式の違いから広告期間であると判断する場合には配信する必要はない。
以上説明した通り、広告情報表示日時に予め蓄えられた番組コンテンツに対応する広告情報を表示することで、視聴者へ広告主より依頼された広告情報を視聴させることが可能となる。
【００８７】
更に、第２の広告情報に表示回数の制限を設けたり、有効期限を設けることができる。
（第５の実施の形態）
図１２は、本発明のテレビジョン受信機に係る第５の実施の形態の構成を説明するためのブロック図である。
なお、図１と同一の構成要素には同一符号を付し説明を省略する。ここでは、画質調節手段１２０１について述べる。
画質調節手段１２０１は、第２の広告供給手段で送信される広告情報Ａ（図４の広告情報４０２）が入力され、サンプリング周波数、量子化ビット数、フレームレート、圧縮方式の少なくとも１つを小さくする。これにより図１２においてデータ放送帯域で送出される広告情報群Ａとしては、データ量が削減されたものが配信される。例えば、番組コンテンツや第１の広告情報の放送帯域ではＭＰＥＧ４の放送方式で送信されている場合、広告情報群Ａとしては、ＭＰＥＧ４方式よりフレームレートの低い動画，テキストデータ、画像データ，画像サイズの小さい動画で配信をする。このように広告情報のデータ量が小さくすることにより、広告情報を記録媒体で配布る場合にはより多くの広告情報を記録媒体へ記録させておくことが可能であり、広告情報をデータ放送で放送よりも先に送る場合には送る周期を短く（１カルーセルに要する期間を短くということ）することが出来、より短い時間番組を視聴するだけで必要とする広告情報を取り込むことが出来る。
【００８８】
なお、第２の広告情報を最初から第１の広告情報よりもデータ量を削減したものを作成しても良い。この場合には画質調節手段１２０１は不要となる。
以上説明した通り、広告情報表示日時に予め蓄えられた番組コンテンツに対応する広告情報を表示することで、視聴者へ広告主より依頼された広告情報を視聴させることが可能となる。
【００８９】
更に、第２の広告情報の配信のために十分な信号帯域を確保することができなかったとしても、第２の広告情報を第１の広告情報よりも低レートとすることで配信を可能とすることができる。
【００９０】
（第６の実施の形態）
本発明のテレビジョン受信機に係る第６の実施の形態の構成は、図１と同じであるため説明を省略し、制御部１５６の動作が異なるのでこの制御部１５６について詳細に説明する。
【００９１】
制御部１５６は、記録再生部１５５内の記録媒体に記録されている第２の広告情報の記録状態を検出する。この検出する記録状態とは、例えば記録保持されている第２の広告情報の個数や、記録媒体に記録されているデータサイズのことである。
【００９２】
そして制御部１５６は、視聴者による入力処理部１５７の操作による指示により、この検出した記録状態から「記録中か記録完了かを示す表示」，「広告情報の個数を示す表示」，「削除中を示す表示」，「全データサイズにおける記録量を示す表示」等を必要により演算により求めて作成し、ＯＳＤ処理部１５９に多重させる。これにより視聴者は番組コンテンツに対応する第２の広告情報の状態がモニター１６０に表示される。
【００９３】
以上説明した通り、広告情報表示日時に予め蓄えられた番組コンテンツに対応する広告情報を表示することで、視聴者へ広告主より依頼された広告情報を視聴させることが可能となる。
【００９４】
更に、第２の広告情報の記録状態を表示手段に表示するので、視聴者は番組コンテンツに対応する第２の広告情報の状態を適切に知ることが可能となる。
上記各実施の形態ではＭＰＥＧ２，ＭＰＥＧ４方式で放送が行われる例としたが、本発明はこれに限らない。
（補足）
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００９５】
【発明の効果】
以上説明したように本発明によれば、広告情報表示日時に予め蓄えられた番組コンテンツに対応する広告情報を表示することで、視聴者へ広告主より依頼された広告情報を視聴させることが可能となる。
【図面の簡単な説明】
【図１】本発明のテレビジョン受信機に係る第１の実施の形態の構成を説明するためのブロック図。
【図２】第２の広告供給手段１０２から供給される第２の広告情報の構造を説明するための図。
【図３】第１の実施の形態の動作を説明するためのフローチャート。
【図４】送信機１００から送信される信号のタイミングを説明するための図。
【図５】広告情報群の構成を示す図。
【図６】第１の実施の形態の変形例の動作を説明するためのフローチャート。
【図７】本発明のテレビジョン受信機に係る第２の実施の形態の構成を説明するためのブロック図。
【図８】本発明のテレビジョン受信機に係る第３の実施の形態の構成を説明するためのブロック図。
【図９】第３の実施の形態の動作を説明するためのフローチャート。
【図１０】（ａ）は放送局側で送信機１００から配信される第２の広告情報を示す図，図１０（ｂ）は制御部１５６が各広告の第２の広告情報毎に実際に再生した回数をカウントした値である再生回数１０１０を付加して記録再生部１５５内の記録媒体へ記録する第２の広告情報を示す図。
【図１１】第４の実施の形態の動作を説明するためのフローチャート。
【図１２】本発明のテレビジョン受信機に係る第５の実施の形態の構成を説明するためのブロック図。
【図１３】従来の放送システムの番組コンテンツと広告情報を配信形態を示す図。
【符号の説明】
１…放送システム、１００…放送局側の送信機、１１０…受信機、１０１…番組コンテンツ及び第１の広告供給手段、１０２，７０１…第２の広告供給手段、１０３…時計、１０４…多重回路、１０５…アンテナ、１５０…受信機、１５１…アンテナ、１５２…チューナ、１５３…ＴＳ処理部、１５４…セレクタ、１５５…記録再生部、１５６…制御部、１５７…入力処理部、１５８…ＭＰＥＧデコーダ、１５９…ＯＳＤ処理部、１６０…モニター、２０１…広告映像音声信号、２０２…表示日時情報、２０３…放送チャンネル情報、４０１…番組コンテンツＡ、４０２…広告情報、４０３…広告情報群Ａ、５０１…広告情報Ａ１’、５５１…広告情報Ａ１’’、７０２…第２の広告情報記録制御手段、１００１…広告主コード、１００２…有効期限情報、１００３…再生回数制限情報、１０１０…再生回数、１２０１…画質調節手段。
【図１】
2004356884.tif 000003
【図２】
2004356884.tif 000004
【図３】
2004356884.tif 000005
【図４】
2004356884.tif 000006
【図５】
2004356884.tif 000007
【図６】
2004356884.tif 000008
【図７】
2004356884.tif 000009
【図８】
2004356884.tif 000010
【図９】
2004356884.tif 000011
【図１０】
2004356884.tif 000012
【図１１】
2004356884.tif 000013
【図１２】
2004356884.tif 000014
【図１３】
2004356884.tif 000015